(57)【特許請求の範囲】
【請求項１】
アンプを介して与えられる音信号により駆動されて該音信号に基づいた音を発するスピーカの診断装置であって、
前記音信号を前記スピーカに供する回路を開放して前記スピーカに対する当該音信号を遮断する信号遮断回路と、
診断用音信号が前記スピーカに供されている状態において前記信号遮断回路が前記スピーカに対する前記診断用音信号を遮断した際に前記スピーカに生じる起電力に起因した電圧波形を表す波形情報を取得する波形情報取得手段と、
所定の基準に基づいて前記波形情報取得手段にて取得された前記波形情報の良否を前記スピーカの良否として判定する判定手段とを有するスピーカ診断装置。
【請求項２】
正常なスピーカについて前記波形情報取得手段にて取得されるべき前記波形情報を基準波形情報として記憶する記憶部を有し、
前記判定手段は、前記所定の基準としの前記記憶部に記憶された前記基準波形情報と前記波形情報取得手段にて取得された前記波形情報との比較結果に基づいて当該波形情報の良否を判定する請求項１記載のスピーカ診断装置。
【請求項３】
前記スピーカは、警報装置に含まれ、所定の周波数の警報音信号により駆動されて該警報音信号に基づいた警報音を発するものであって、
前記警報音信号が前記診断用音信号として用いられる請求項１または２記載のスピーカ診断装置。
【請求項４】
前記信号遮断回路は、前記アンプから前記スピーカに至る回路内に設けられたスイッチ回路を有する請求項１乃至３のいずれかに記載のスピーカ診断装置。
【請求項５】
前記アンプは、オン・オフ動作を行うスイッチング回路を有し、
前記信号遮断回路は、前記アンプにおける前記スイッチング回路を含み、該スイッチング回路のオフ動作により前記スピーカに対する音信号を遮断する請求項１乃至３のいずれかに記載のスピーカ診断装置。
【請求項６】
前記波形情報取得手段は、前記スピーカに生じる前記起電力に起因した電圧波形の包絡線を表す包絡線情報を前記波形情報として取得する包絡線情報取得手段を有する請求項１乃至５のいずれかに記載のスピーカ診断装置。
【請求項７】
アンプを介して与えられる音信号により駆動されて該音信号に基づいた音を発するスピーカの診断装置であって、
前記音信号を前記スピーカに供する回路を開放して前記スピーカに対する当該音信号を遮断する信号遮断回路と、
前記スピーカの端子電圧値をサンプリングするサンプリング回路と、
診断用音信号が前記スピーカに供されている音信号供給状態から切替えられた前記信号遮断回路が前記スピーカに対する前記診断用音信号を遮断した音信号遮断状態において前記サンプリング回路にてサンプリングされる端子電圧値を取得する第１端子電圧値取得手段と、
該第１端子電圧値取得手段にて取得された端子電圧値から、前記音信号遮断状態において前記スピーカに生じる起電力に起因した電圧波形を表す波形情報を取得する第１波形情報取得手段と、
所定の基準に基づいて前記第１波形情報取得手段にて取得された前記波形情報の良否を前記スピーカの良否として判定する第１判定手段とを有するスピーカ診断装置。
【請求項８】
正常なスピーカについて前記第１波形情報取得手段にて取得されるべき前記波形情報を基準波形情報として記憶する記憶部を有し、
前記第１判定手段は、前記所定の基準としての前記記憶部に記憶された前記基準波形情報と前記波形情報取得手段にて取得された前記波形情報との比較結果に基づいて当該波形情報の良否を判定する請求項７記載のスピーカ診断装置。
【請求項９】
前記音信号供給状態において前記サンプリング回路にてサンプリングされる端子電圧値を取得する第２端子電圧値取得手段と、
該第２端子電圧値取得手段により取得された端子電圧値に基づいて前記アンプ及び前記スピーカを含む回路の良否を判定する第２判定手段とを有する請求項７または８記載のスピーカ診断装置。
【請求項１０】
前記第２判定手段が前記アンプ及び前記スピーカを含む回路を良と判定したときに、前記第１端子電圧値取得手段、第１波形情報取得手段、及び第１判定手段による前記スピーカの良否判定を行わせる制御手段を有する請求項９記載のスピーカ診断装置。
【請求項１１】
アンプを介して与えられる音信号により駆動されて該音信号に基づいた音を発するスピーカの診断方法であって、
前記音信号を前記スピーカに供する回路を開放して前記スピーカに対する当該音信号を遮断する信号遮断回路を用い、
診断用音信号が前記スピーカに供されている状態において前記信号遮断回路が前記スピーカに対する前記診断用音信号を遮断した際に前記スピーカに生じる起電力に起因した電圧波形を表す波形情報を取得する波形情報取得ステップと、
所定の基準に基づいて前記波形情報取得ステップにて取得された前記波形情報の良否を前記スピーカの良否として判定する判定ステップとを有するスピーカ診断方法。
【請求項１２】
正常なスピーカについて前記波形情報取得ステップにて取得されるべき前記波形情報を基準波形情報として記憶する記憶部を用い、
前記判定ステップは、前記所定の基準としての前記記憶部に記憶された前記基準波形情報と前記波形情報取得ステップにて取得された前記波形情報との比較結果に基づいて当該波形情報の良否を判定する請求項１１記載のスピーカ診断方法。
【請求項１３】
アンプを介して与えられる音信号により駆動されて該音信号に基づいた音を発するスピーカの診断方法であって、
前記音信号を前記スピーカに供する回路を開放して前記スピーカに対する当該音信号を遮断する信号遮断回路と、前記スピーカの端子電圧値をサンプリングするサンプリング回路とを用い、
診断用音信号が前記スピーカに供されている音信号供給状態から切替えられた前記信号遮断回路が前記スピーカに対する前記診断用音信号を遮断した音信号遮断状態において前記サンプリング回路にてサンプリングされる端子電圧値を取得する第１端子電圧値取得ステップと、
該第１端子電圧値取得ステップにて取得された端子電圧値から、前記音信号遮断状態において前記スピーカに生じる起電力に起因した電圧波形を表す波形情報を取得する第１波形情報取得ステップと、
所定の基準に基づいて前記第１波形情報取得ステップにて取得された前記波形情報の良否を前記スピーカの良否として判定する第１判定ステップとを有するスピーカ診断方法。
【請求項１４】
正常なスピーカについて前記第１波形情報取得ステップにて取得されるべき前記波形情報を基準波形情報として記憶する記憶部を用い、
前記第１判定ステップは、前記所定の基準としての前記記憶部に記憶された前記基準波形情報と前記第１波形情報取得ステップにて取得された前記波形情報との比較結果に基づいて当該波形情報の良否を判定する請求項１３記載のスピーカ診断方法。
【請求項１５】
前記音信号供給状態において前記サンプリング回路にてサンプリングされる端子電圧値を取得する第２端子電圧値取得ステップと、
該第２端子電圧値取得ステップにより取得された端子電圧値に基づいて前記アンプ及び前記スピーカを含む回路の良否を判定する第２判定ステップとを有する請求項１３または１４記載のスピーカ診断方法。
【請求項１６】
前記第２判定ステップが前記アンプ及び前記スピーカを含む回路を良と判定したときに、前記第１端子電圧値取得ステップ、第１波形情報取得ステップ、及び第１判定ステップによる前記スピーカの良否判定を行わせる制御ステップを有する請求項１５記載のスピーカ診断方法。
【発明の詳細な説明】
【技術分野】
【０００１】
本発明は、アンプを介して与えられる音信号により駆動されて該音信号に基づいた音を発するスピーカの診断装置及びそのスピーカの診断方法に関する。
【背景技術】
【０００２】
従来、例えば、特許文献１に記載されるスピーカ診断装置が知られている。このスピーカ診断装置では、検査すべきスピーカ（アクティブスピーカ）に拡散符号であるＭ系列信号が与えられて、該スピーカから発せられる前記Ｍ系列信号に基づいた音がマイクで集音される。そして、その集音された音の信号特性が解析され、その信号特性と当該スピーカの出荷時に同様に得られて記憶された信号特性と比較することにより前記スピーカの劣化や変化が診断される。
【先行技術文献】
【特許文献】
【０００３】
【特許文献１】特開２０１２−２２７８５７号公報
【発明の概要】
【発明が解決しようとする課題】
【０００４】
しかしながら、上述した従来のスピーカ診断装置は、スピーカから発せられる実際の音をマイクで集音しなければならない。このため、例えば、外音のレベルの低い等の特別な環境のもとで診断を行わなければならなく、例えば、車両に搭載されたオーディオ装置に用いられるスピーカの診断を精度良く行うことができない。
【０００５】
本発明は、このような事情に鑑みてなされたもので、外音のレベルに関わりなく、精度良くスピーカの診断が可能であるスピーカ診断装置及び方法を提供するものである。
【課題を解決するための手段】
【０００６】
本発明に係るスピーカ診断装置は、アンプを介して与えられる音信号により駆動されて該音信号に基づいた音を発するスピーカの診断装置であって、前記音信号を前記スピーカに供する回路を開放して前記スピーカに対する当該音信号を遮断する信号遮断回路と、診断用音信号が前記スピーカに供されている状態において前記信号遮断回路が前記スピーカに対する前記診断用音信号を遮断した際に前記スピーカに生じる起電力に起因した電圧波形を表す波形情報を取得する波形情報取得手段と、所定の基準に基づいて前記波形情報取得手段にて取得された前記波形情報の良否を前記スピーカの良否として判定する判定手段とを有する構成となる。
【０００７】
このような構成により、診断用音信号がスピーカに供されている状態で信号遮断回路が前記診断用音信号を前記スピーカに供する回路を開放して前記スピーカに対する当該音信号を遮断すると、振動板の振動の減衰に伴って前記スピーカに起電力が生じる。そして、前記振動板の振動の減衰態様に依存する前記起電力に起因した電圧波形を表す波形情報が取得され、所定の基準に基づいてその電圧波形の良否が前記スピーカの良否として判定される。
【０００８】
本発明に係るスピーカ診断装置において、正常なスピーカについて前記波形情報取得手段にて取得されるべき前記波形情報を基準波形情報として記憶する記憶部を有し、前記判定手段は、前記所定の基準としての前記記憶部に記憶された前記基準波形情報と前記波形情報取得手段にて取得された前記波形情報との比較結果に基づいて当該波形情報の良否を判定する構成とすることができる。
【０００９】
このような構成により、正常なスピーカについて診断用音信号を遮断した際に得られた波形情報と、診断対象となるスピーカについて同様に得られた波形情報との比較結果に基づいて前記診断対象となるスピーカについて得られた波形情報の良否が当該診断対象となるスピーカの良否として判定される。
【００１０】
本発明に係るスピーカ診断装置において、前記スピーカは、警報装置に含まれ、所定の周波数の警報音信号により駆動されて該警報音信号に基づいた警報音を発するものであって、前記警報音信号が前記診断用音信号として用いられる構成とすることができる。
【００１１】
このような構成により、警報装置で通常使用される所定の周波数の警報音信号を用いて、当該警報装置において警報音を発生させるためのスピーカの良否を判定することができる。
【００１２】
本発明に係るスピーカ診断装置において、前記信号遮断回路は、前記アンプから前記スピーカに至る回路内に設けられたスイッチ回路を有する構成とすることができる。
【００１３】
このような構成により、該スイッチ回路が前記アンプから前記スピーカに至る回路を開放することにより、前記スピーカに対する前記アンプを介した診断用音信号が遮断される。
【００１４】
本発明に係るスピーカ診断装置において、前記アンプは、オン・オフ動作を行うスイッチング回路を有し、前記信号遮断回路は、前記アンプにおける前記スイッチング回路を含み、該スイッチング回路のオフ動作により前記スピーカに対する音信号を遮断する構成とすることができる。
【００１５】
このような構成により、アンプのスイッチング回路をオフ動作させることにより、スピーカに至る回路が開放され、当該スピーカに対する当該アンプを介した診断用音信号が遮断される。
【００１６】
本発明に係るスピーカ診断装置において、前記波形情報取得手段は、前記スピーカに生じる前記起電力に起因した電圧波形の包絡線を表す包絡線情報を前記波形情報として取得する包絡線情報取得手段を有する構成とすることができる。
【００１７】
このような構成により、スピーカに対する診断用音信号が遮断された際における振動板の振動の減衰に伴うスピーカの起電力に起因した電圧波形の包絡線を表す包絡線情報が電圧波形情報として取得される。そして、所定の基準に基づいてその包絡線情報の良否が前記スピーカの良否として判定される。
【００１８】
本発明に係るスピーカ診断装置は、アンプを介して与えられる音信号により駆動されて該音信号に基づいた音を発するスピーカの診断装置であって、前記音信号を前記スピーカに供する回路を開放して前記スピーカに対する当該音信号を遮断する信号遮断回路と、前記スピーカの端子電圧値をサンプリングするサンプリング回路と、診断用音信号が前記スピーカに供されている音信号供給状態から切替えられた前記信号遮断回路が前記スピーカに対する前記診断用音信号を遮断した音信号遮断状態において前記サンプリング回路にてサンプリングされる端子電圧値を取得する第１端子電圧値取得手段と、該第１端子電圧値取得手段にて取得された端子電圧値から、前記音信号遮断状態において前記スピーカに生じる起電力に起因した電圧波形を表す波形情報を取得する第１波形情報取得手段と、所定の基準に基づいて前記第１波形情報取得手段にて取得された前記波形情報の良否を前記スピーカの良否として判定する第１判定手段とを有する構成となる。
【００１９】
このような構成により、診断用音信号がスピーカに供されている音信号供給状態から信号遮断回路にて前記スピーカに対する前記診断用音信号が遮断された音信号遮断状態に切り替えられると、振動板の振動の減衰に伴って前記スピーカに起電力が生じる。そして、前記音信号遮断状態において、サンプリングされる前記スピーカの端子電圧値が取得される。その端子電圧値から、前記スピーカに生じる起電力に起因した電圧波形を表す波形情報が取得され、所定の基準に基づいてその電圧波形の良否が前記スピーカの良否として判定される。
【００２０】
本発明に係るスピーカ診断装置において、正常なスピーカについて前記第１波形情報取得手段にて取得されるべき前記波形情報を基準波形情報として記憶する記憶部を有し、前記第１判定手段は、前記所定の基準としての前記記憶部に記憶された前記基準波形情報と前記波形情報取得手段にて取得された前記波形情報との比較結果に基づいて当該波形情報の良否を判定する構成とすることができる。
【００２１】
このような構成により、正常なスピーカについて診断用音信号を遮断した音信号遮断状態で得られた波形情報と、診断対象となるスピーカについて同様に音信号遮断状態で得られた波形情報との比較結果に基づいて前記診断対象となるスピーカについて得られた音信号遮断状態における波形情報の良否が当該診断対象となるスピーカの良否として判定される。
【００２２】
本発明に係るスピーカ診断装置において、前記音信号供給状態において前記サンプリング回路にてサンプリングされる端子電圧値を取得する第２端子電圧値取得手段と、該第２端子電圧値取得手段により取得された端子電圧値に基づいて前記アンプ及び前記スピーカを含む回路の良否を判定する第２判定手段とを有する構成とすることができる。
【００２３】
このような構成により、診断用音信号がスピーカに供されている音信号供給状態においてサンプリングされるスピーカの端子電圧値が取得され、その端子電圧値に基づいてアンプ及び前記スピーカを含む回路の良否が判定される。前記音信号供給状態においては、例えば、アンプの故障の有無に起因した前記回路の良否、スピーカのショートの有無に起因した前記回路の良否を判定することができる。
【００２４】
本発明に係るスピーカ診断装置において、前記第２判定手段が前記アンプ及び前記スピーカを含む回路を良と判定したときに、前記第１端子電圧値取得手段、第１波形情報取得手段、及び第１判定手段による前記スピーカの良否判定を行わせる制御手段を有する構成とすることができる。
【００２５】
このような構成により、音信号供給状態においてサンプリングされたスピーカの端子電圧値に基づいて当該スピーカが良であると判定されたときに、更に、音信号遮断状態においてサンプリングされたスピーカの端子電圧値に基づいて当該スピーカの良否が判定される。
【００２６】
本発明に係るスピーカ診断方法は、アンプを介して与えられる音信号により駆動されて該音信号に基づいた音を発するスピーカの診断方法であって、前記音信号を前記スピーカに供する回路を開放して前記スピーカに対する当該音信号を遮断する信号遮断回路を用い、診断用音信号が前記スピーカに供されている状態において前記信号遮断回路が前記スピーカに対する前記診断用音信号を遮断した際に前記スピーカに生じる起電力に起因した電圧波形を表す波形情報を取得する波形情報取得ステップと、所定の基準に基づいて前記波形情報取得ステップにて取得された前記波形情報の良否を前記スピーカの良否として判定する判定ステップとを有する構成となる。
【００２７】
また、本発明に係るスピーカ診断方法は、アンプを介して与えられる音信号により駆動されて該音信号に基づいた音を発するスピーカの診断方法であって、前記音信号を前記スピーカに供する回路を開放して前記スピーカに対する当該音信号を遮断する信号遮断回路と、前記スピーカの端子電圧値をサンプリングするサンプリング回路とを用い、診断用音信号が前記スピーカに供されている音信号供給状態から切替えられた前記信号遮断回路が前記スピーカに対する前記診断用音信号を遮断した音信号遮断状態において前記サンプリング回路にてサンプリングされる端子電圧値を取得する第１端子電圧値取得ステップと、該第１端子電圧値取得ステップにて取得された端子電圧値から、前記音信号遮断状態において前記スピーカに生じる起電力に起因した電圧波形を表す波形情報を取得する第１波形情報取得ステップと、所定の基準に基づいて前記第１波形情報取得ステップにて取得された前記波形情報の良否を前記スピーカの良否として判定する第１判定ステップとを有する構成となる。
【発明の効果】
【００２８】
本発明に係るスピーカ診断装置及びスピーカ診断方法によれば、スピーカから発せられる音を集音することなく、診断用音信号がスピーカに供されている状態で信号遮断回路が前記診断用音信号を前記スピーカに供する回路を開放して前記スピーカに対する当該音信号を遮断することにより、当該スピーカの良否の判定を行うことができるので、外音のレベルに関わりなく、精度良くスピーカの診断を行うことができる。
【図面の簡単な説明】
【００２９】
【図１】本発明の実施の一形態に係るスピーカ診断装置を示すブロック図である。
【図２】スピーカの診断時におけるスピーカの端子電圧の波形と各制御信号とを示すタイミングチャートである。
【図３】図１に示すスピーカ診断装置における制御回路で行われる診断処理の流れを示すフローチャートである。
【図４】アンプの具体的な構成例を示す回路ブロック図である。
【発明を実施するための形態】
【００３０】
以下、本発明の実施の形態について図面に基づいて説明する。
【００３１】
本発明に係るスピーカ診断装置は、図１に示すように構成される。図１に示すスピーカ診断装置は、車両に搭載された警報装置において警報音の出力に用いられるスピーカ１４の良否の判定（診断）を行う。
【００３２】
図１において、警報装置は、警報音発生回路１１、アンプ（パワーアンプ）１２及びスピーカ１４を有している。アンプ１２とスピーカ１４とを結ぶ回路内にはスイッチ回路１３（スピーカ診断装置の構成部品）が設けられている。この警報装置では、車載機器の動作や車両状態等において異常が検知されると警報音発生回路１１が起動されて警報音信号を出力する。その警報音信号はアンプ１２での増幅作用を経て、オン（閉鎖）状態のスイッチ１３を介してスピーカ１４に供給される。スピーカ１４は、与えられる警報音信号に基づいて駆動され、当該警報音信号に基づいた警報音を発する。この警報音により、車両の乗員は、車載機器の動作や車両状態等において異常があることを知ることができる。
【００３３】
なお、スピーカ１４は、例えば、本来、車載オーディオ装置で用いられるものであり、当該車載オーディオ装置及び前記警報装置において共用されている
【００３４】
前記警報装置に用いられるスピーカ１４の診断装置は、前述したスイッチ回路１３（信号遮断回路）の他、制御回路２０、サンプリング回路２１、記憶部２２、第１警報ランプ２３ａ、及び第２警報ランプ２３ｂを有している。サンプリング回路２１は、Ａ／Ｄ変換回路で構成され、スピーカ１４の端子電圧を所定の周期でサンプリングして得られる端子電圧値（デジタル値）を制御回路２０に供給する。記憶部２２は、後述するように良否の判定基準である基準波形情報（基準包絡線情報）を記憶している。
【００３５】
制御回路２０は、警報音発生制御信号Ｓarmにより警報音発生回路１１からの診断用音信号としての前記警報音信号の出力及び遮断を制御する。また、制御回路２０は、スイッチ制御信号Ｓswによりスイッチ回路１３の開放（オン）及び閉鎖（オフ）を制御する。制御回路２０は、警報音発生回路１１及びスイッチ回路１３を制御しつつ、サンプリング回路２１から順次供給されるスピーカ１４の端子電圧値、及び記憶部２２に記憶された基準波形情報に基づいて、スピーカ１４の良否判定に係る処理を実行する。そして、そのスピーカ１４の良否判定の結果に基づいて、制御回路２０は、第１警報ランプ２２ａ及び第２警報ランプ２２ｂの点灯制御を行う。
【００３６】
スピーカ１４の診断に際して制御回路２０から出力される警報音発生制御信号Ｓarm、スイッチ制御信号Ｓsw、及びスピーカ１４の端子電圧は、例えば、図２に示すようになる。
【００３７】
図２において、スイッチ制御信号Ｓswにより制御されるスイッチ回路１３がオン（閉鎖）状態において、時刻ｔoから警報音発生制御信号Ｓarm により制御される警報音発生回路１１が一定の振幅で所定の周波数の警報音信号（診断用音信号）を出力すると、アンプ１２及びスイッチ回路１３を介して前記警報音信号を入力するスピーカ１４は、正常であれば、当該警報音信号に基づいた警報音を発する。このとき、スピーカ１４の端子電圧は、一定の振幅Ｓａで所定の周波数の波形（電圧波形）となる。
【００３８】
時刻ｔoから前記警報音信号が警報音発生回路１１から出力されている警報音発生期間Ｔarmが経過した後の時刻ｔsで、スイッチ制御信号Ｓswにより制御されるスイッチ回路１３がオフ（開放）状態に切り換えられ、警報音発生制御信号Ｓarmにより制御される警報音発生回路１１からの警報音信号の出力が停止されると、アンプ１２とスピーカ１４との間の回路が開放された状態となって、スピーカ１４に対する警報音信号が遮断される。すると、前記警報音信号によって駆動されて一定の振幅で振動していたスピーカ１４の振動板の当該振動が徐々に減衰して停止に至る。そのスピーカ１４の振動板の振動が減衰していく過程で、スピーカ１４のボイスコイルと磁気回路との間の電磁作用によって前記振動板の振動に応じた起電力が生じる。スピーカ１４が正常であれば、前記起電力に起因して、スピーカ１４の端子電圧は、前記警報音信号が遮断される時刻ｔsから振動しながら徐々に低下していく。
【００３９】
なお、一般にアンプ（パワーアンプ）１２の出力インピーダンスは低いので、スピーカ１４の端子電圧は急激に低下することなく、徐々に低下していく。
【００４０】
制御回路２０は、前述したように警報音発生制御信号Ｓarm及びスイッチ制御信号Ｓswにより警報音発生回路１１及びスイッチ回路１３を制御する際に、図２に示すように変化するスピーカ１４の端子電圧をサンプリングするサンプリング回路２１からの端子電圧値を順次内部メモリに格納する。具体的には、スピーカ１４に警報音信号が与えられてスピーカ１４から警報音が発せられる時刻ｔoからピーカ１４に対する警報音信号が遮断される時刻ｔsまで、更に、当該時刻ｔsから所定の診断時間Ｔexが経過した後の時刻ｔeまでにそれぞれサンプリングされたスピーカ１４の端子電圧値が内部メモリに格納される。
【００４１】
制御回路２０は、警報音発生制御信号Ｓarmを立ち上げる時刻ｔoから、スイッチ制御信号Ｓswを立ち下げる時刻ｔsを経過し、該時刻ｔsから診断時間Ｔexが経過した後の時刻ｔeに至る間にサンプリングされたスピーカ４の端子電圧値の内部メモリへの格納が終了すると、図３に示す手順に従って、スピーカの診断処理を実行する。
【００４２】
図３において、制御回路２０は、内部メモリに格納された前記端子電圧値から、警報音発生制御信号Ｓarmを立ち上げた時刻ｔoからスイッチ制御信号Ｓswを立ち下げる時刻ｔsまでにサンプリングされた端子電圧値を内部メモリに格納された端子電圧値から抽出し（Ｓ１１：第２端子電圧値取得手段）、その注出された端子電圧値からその振幅値Ｓa（警報音信号の振幅値Ｓa（図２参照）に相当）を演算する（Ｓ１２）。そして、制御回路２０は、その振幅値Ｓaが所定の基準振幅値Ｓoより小さいか否かを判定する（Ｓ１３：第２判定手段）。
【００４３】
前記振幅値Ｓaが基準振幅値Ｓo以上であると（Ｓ１３でＮＯ）、即ち、例えば、アンプ１２が正常でスピーカ１２がショートしておらず、アンプ１２及びスピーカ１４を含む回路が正常であって、正常な端子電圧が得られていると判定されると、制御回路２０は、更に、前記スイッチ制御信号Ｓswを立ち下げた時刻ｔsから所定の診断時間Ｔexが経過した後の時刻ｔeまでにサンプリングされた端子電圧値を内部メモリに格納された端子電圧値から抽出する（Ｓ１4：第１端子電圧値取得手段）。この注出された端子電圧値は、図２に示す徐々に減衰する端子電圧に対応しており、制御回路２０は、その徐々に減衰する端子電圧の電圧波形を表す包絡線ＥＮＶａ、ＥＮＶｂを演算する（Ｓ１５：第１波形情報取得手段）。これにより、制御回路２０は、前記包絡線ＥＮＶａ、ＥＮＶｂを表す包絡線情報（電圧波形情報）を取得する（波形情報取得手段・包絡線情報取得手段）。
【００４４】
ところで、正常なスピーカ１４について、同様の手法により得られた包絡線情報（電圧波形情報）が、予め基準包絡線情報（基準電圧波形情報）として記憶部２２に記憶されている。そして、制御回路２０は、得られた上記包絡線情報と、記憶部２２に記憶されている基準包絡線情報とを比較し、それらの比較結果に基づいて前記包絡線情報が正常であるか否かを判定する（Ｓ１６、Ｓ１７：判定手段・第１判定手段）。例えば、基準包絡線情報で表される包絡線を中心とした包絡線帯に、得られた包絡線情報で表される包絡線が含まれているか否かによって当該包絡線情報が正常であるか否かを判定するようにしても、包絡線情報にて表される包絡線の特徴情報（開始点、終了点、中間点での値等）と基準包絡線にて表される基準包絡線の同種の特徴情報との比較結果に基づいて前記包絡線情報が正常であるか否かを判定するようにしてもよい。
【００４５】
前記取得された包絡線情報が正常（良）であると判定さると（Ｓ１７でＹＥＳ）、スピーカ１２が正常であるとして、制御回路２０は、第１警報ランプ２３ａ及び第２警報ランプ２３ｂの双方を点灯させる（Ｓ２０）。利用者は、第１警報ランプ２３ａ及び第２警報ランプ２３ｂの双方が点灯したことにより、スピーカ１４が正常であることを知ることができる。一方、前記取得された包絡線情報が正常でない（不良）であると判定されると（Ｓ１７でＮＯ）、制御回路２０は、スピーカ１４が異常（不良）であるとして、第２警報ランプ２２ｂだけを点灯させる（Ｓ１８）。
【００４６】
例えば、スピーカ１４の振動板やダンパの劣化、ボイスコイルの動作不良等により、警報音信号の遮断後におけるスピーカ１４の振動板の振動が不調である場合、スピーカ１４の端子電圧値から得られる包絡線の形状は、正常なスピーカ１４についての基準包絡線情報で表される包絡線の形状と異なる。この場合、スピーカ１４が異常であると判定されて、第２警報ランプ２３ｂが点灯する。利用者は、第２警報ランプ２３ｂだけが点灯したことにより、スピーカ１４が異常であること、そして、その原因が、振動板やダンパの劣化、ボイスコイルの動作不良等の機械的な異常であることを知ることができる。
【００４７】
一方、警報音発生制御信号Ｓarmを立ち上げた時刻ｔoからスイッチ制御信号Ｓswを立ち下げる時刻ｔsまでにサンプリングされた端子電圧値に基づいて演算される振幅Ｓaが基準振幅Ｓoより小さいと判定されると（Ｓ１３でＹＥＳ）、制御回路２０は、スピーカ１４が異常（不良）であるとして、第１警報ランプ２２ａだけを点灯させる（Ｓ１９）。この場合、警報音信号をスピーカ１４に供給している状態でそのスピーカ１４の端子電圧の波形の振幅が基準の振幅より小さいということであるので、アンプ１２が正常でない、スピーカ１２がショートしている等、アンプ１２及びスピーカ１４を含む回路が異常である可能性が高い。従って、利用者は、第１警報ランプ２３ａだけが点灯したことにより、アンプ１２及びスピーカ１４を含む回路が異常である可能性が高いことを知ることができる。
【００４８】
上述したようなスピーカ診断装置によれば、スピーカ１４から発せられる音を特に集音することなく、警報音信号（診断用音信号）がスピーカ１４に供されている状態でスイッチ回路１３が前記警報音信号（診断用音信号）をスピーカ１４に供する回路を開放してスピーカ１４に対する警報音信号を遮断することにより、スピーカ１４の良否の判定を行うことができるので、外音のレベルに関わりなく、精度良くスピーカの診断を行うことができる。そして、その診断結果に基づいて警報装置の信頼性を維持することができる。
【００４９】
また、診断用音信号として、警報装置で用いられる警報音信号そのものが用いられるので、別途、診断用音信号を出力する回路を設ける必要がなく、回路構成を簡略化することができる。
【００５０】
アンプ１２として、図４に示すように、ＰＷＭ変調器１２１、電力スイッチング回路１２２及び出力フィルタ１２３で構成されるＤ級アンプを用いることができる。この場合、図１に示すスイッチ回路１３を設けることなく、電力スイッチング回路１２２を、警報音信号（診断用音信号）をスピーカ１４に供する回路を開放してスピーカ１４に対する当該警報音信号を遮断する信号遮断回路として用いることができる。この場合、電力スイッチング回路１２２に含まれる２つのＦＥＴ１、ＦＥＴ２をともにオフ状態に固定することで、警報信号をスピーカ１４に供する回路が開放される。
【００５１】
アンプ１２をこのように構成（Ｄ級アンプの構成）すれば、スイッチ回路１３が必要なくなり、更に回路構成を簡略化することができる。
【００５２】
なお、前述したスピーカ診断装置は、警報装置において警報音を発するスピーカ１４の良否を判定するものであったが、診断の対象となるスピーカは、警報装置に適用されるスピーカに限定されない。
【産業上の利用可能性】
【００５３】
本発明に係るスピーカ診断装置及び方法は、外音のレベルに関わりなく、精度良くスピーカの診断を行うことができるという効果を有し、アンプを介して与えられる音信号により駆動されて該音信号に基づいた音を発するスピーカの診断装置及びそのスピーカの診断方法として有用である。
【符号の説明】
【００５４】
１１  警報音発生回路
１２  アンプ
１３  スイッチ回路
１４  スピーカ
２０  制御回路
２１  サンプリング回路
２２  記憶部
２３ａ  第１警報ランプ
２３ｂ  第２警報ランプ
【図１】
0006418823.tif 000002
【図２】
0006418823.tif 000003
【図３】
0006418823.tif 000004
【図４】
0006418823.tif 000005